【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
コンテンツを流通させるコンテンツ流通システムであって、
コンテンツを、部分ごとに異なる暗号鍵で暗号化する暗号化装置と、
前記暗号化したコンテンツをコンテンツ再生装置に提供するコンテンツ提供装置と、
前記暗号化したコンテンツを復号化するために必要な情報を含んだライセンス情報を提供するライセンス情報提供装置と、
前記暗号化したコンテンツを前記コンテンツ提供装置から取得し、これを前記ライセンス提供装置から取得したライセンス情報を用いて復号化して再生するコンテンツ再生装置と、
から構成されたことを特徴とするコンテンツ流通システム。
【請求項２】
コンテンツを取得するコンテンツ取得手段と、
前記取得したコンテンツを部分ごとに異なる暗号鍵で暗号化する暗号化手段と、
前記暗号化したコンテンツを出力する出力手段と、
を具備したことを特徴とする暗号化装置。
【請求項３】
前記部分に含まれる鍵生成情報と、所定の元情報と、を前記部分ごとに演算することにより前記暗号鍵を生成する暗号鍵生成手段を具備し、
前記暗号化手段は、前記生成した暗号鍵を用いて前記部分を暗号化することを特徴とする請求項２に記載の暗号化装置。
【請求項４】
前記元情報を、ライセンス情報で復号化可能に暗号化して前記暗号化したコンテンツに含ませる元情報処理手段を具備したことを特徴とする請求項３に記載の暗号化装置。
【請求項５】
前記暗号鍵の数（変更粒度）を設定する暗号鍵生成方式設定手段を具備し、
前記暗号鍵生成手段は、前記設定された暗号鍵生成方式にて前記暗号鍵を生成することを特徴とする請求項３に記載の暗号化装置。
【請求項６】
前記暗号化手段は、前記暗号化したコンテンツに前記暗号鍵生成方式を表す暗号鍵生成方式情報を含めることを特徴とする請求項２に記載の暗号化装置。
【請求項７】
コンテンツの提供要求を受け付ける受付手段と、
前記要求を受け付けたコンテンツを提供するコンテンツ提供手段と、
を具備し、
前記コンテンツは、部分ごとに異なる暗号鍵で暗号化されていることを特徴とするコンテンツ提供装置。
【請求項８】
部分ごとに異なる暗号鍵で暗号化したコンテンツを取得するコンテンツ取得手段と、
前記部分を復号化する復号化手段と、
前記復号化したコンテンツを再生するコンテンツ再生手段と、
を具備したことを特徴とするコンテンツ再生装置。
【請求項９】
部分ごとに異なる暗号鍵で暗号化したコンテンツから、前記暗号鍵を生成するのに用いる元情報を取得するためのライセンス情報を提供するライセンス情報提供装置。
【請求項１０】
コンテンツ取得手段と、暗号化手段と、出力手段と、を備えたコンピュータにおいて、
前記コンテンツ取得手段によって、コンテンツを取得するコンテンツ取得ステップと、
前記暗号化手段によって、前記取得したコンテンツを部分ごとに異なる暗号鍵で暗号化する暗号化ステップと、
前記出力手段によって、前記暗号化したコンテンツを出力する出力ステップと、
から構成されたことを特徴とする暗号化方法。
【請求項１１】
受付手段と、コンテンツ提供手段と、を備えたコンピュータにおいて、
前記受付手段によって、コンテンツの提供要求を受け付ける受付ステップと、
前記コンテンツ提供手段によって、前記要求を受け付けたコンテンツを提供するコンテンツ提供ステップと、
から構成され、
前記コンテンツは、部分ごとに異なる暗号鍵で暗号化されていることを特徴とするコンテンツ提供方法。
【請求項１２】
コンテンツ取得手段と、復号化手段と、コンテンツ再生手段と、を備えたコンピュータにおいて、
前記コンテンツ取得手段によって、部分ごとに異なる暗号鍵で暗号化したコンテンツを取得するコンテンツ取得ステップと、
前記復号化手段によって、前記部分を復号化する復号化ステップと、
前記コンテンツ再生手段によって、前記復号化したコンテンツを再生するコンテンツ再生ステップと、
から構成されたことを特徴とするコンテンツ再生方法。
【請求項１３】
ライセンス情報提供手段を備えたコンピュータにおいて、
前記ライセンス情報提供手段によって、部分ごとに異なる暗号鍵で暗号化したコンテンツから、前記暗号鍵を生成するのに用いる元情報を取得するためのライセンス情報を提供するライセンス情報ステップを含むことを特徴とするライセンス情報提供方法。
【請求項１４】
コンテンツを取得するコンテンツ取得機能と、
前記取得したコンテンツを部分ごとに異なる暗号鍵で暗号化する暗号化機能と、
前記暗号化したコンテンツを出力する出力機能と、
をコンピュータで実現する情報処理プログラム。
【請求項１５】
部分ごとに異なる暗号鍵で暗号化されているコンテンツの提供要求を受け付ける受付機能と、
前記要求を受け付けたコンテンツを提供するコンテンツ提供機能と、
をコンピュータで実現する情報処理プログラム。
【請求項１６】
部分ごとに異なる暗号鍵で暗号化したコンテンツを取得するコンテンツ取得機能と、
前記部分を復号化する復号化機能と、
前記復号化したコンテンツを再生するコンテンツ再生機能と、
をコンピュータで実現する情報処理プログラム。
【請求項１７】
部分ごとに異なる暗号鍵で暗号化したコンテンツから、前記暗号鍵を生成するのに用いる元情報を取得するためのライセンス情報を提供するライセンス情報提供機能をコンピュータで実現する情報処理プログラム。
【請求項１８】
請求項１４から請求項１７までのうちの何れか１つの請求項に記載の情報処理プログラムを記憶したコンピュータが読み取り可能な記憶媒体。
【手続補正２】
【補正対象書類名】明細書
【補正対象項目名】０００８
【補正方法】変更
【補正の内容】
【０００８】
本発明は、前記目的を達成するために、コンテンツを流通させるコンテンツ流通システムであって、コンテンツを、部分ごとに異なる暗号鍵で暗号化する暗号化装置と、前記暗号化したコンテンツをコンテンツ再生装置に提供するコンテンツ提供装置と、前記暗号化したコンテンツを復号化するために必要な情報を含んだライセンス情報を提供するライセンス情報提供装置と、前記暗号化したコンテンツを前記コンテンツ提供装置から取得し、これを前記ライセンス提供装置から取得したライセンス情報を用いて復号化して再生するコンテンツ再生装置と、から構成されたことを特徴とするコンテンツ流通システムを提供する（第１の構成）。
また、コンテンツを取得するコンテンツ取得手段と、前記取得したコンテンツを部分ごとに異なる暗号鍵で暗号化する暗号化手段と、前記暗号化したコンテンツを出力する出力手段と、を具備したことを特徴とする暗号化装置を提供する（第２の構成）。
第２の構成において、前記部分に含まれる鍵生成情報と、所定の元情報と、を前記部分ごとに演算することにより前記暗号鍵を生成する暗号鍵生成手段を具備し、前記暗号化手段は、前記生成した暗号鍵を用いて前記部分を暗号化するように構成することもできる（第３の構成）。
第３の構成において、前記元情報を、ライセンス情報で復号化可能に暗号化して前記暗号化したコンテンツに含ませる元情報処理手段を具備するように構成することもできる（第４の構成）。
第３の構成において、前記暗号鍵の暗号鍵生成方式を設定する暗号鍵生成方式設定手段を具備し、前記暗号鍵生成手段は、前記設定された暗号鍵生成方式にて前記暗号鍵を生成するように構成することもできる（第５の構成）。
第２の構成において、前記暗号化手段は、前記暗号化したコンテンツに前記暗号鍵の暗号鍵生成方式を表す暗号鍵生成方式情報を含めるように構成することもできる（第６の構成）。
また、本発明は、コンテンツの提供要求を受け付ける受付手段と、前記要求を受け付けたコンテンツを提供するコンテンツ提供手段と、を具備し、前記コンテンツは、部分ごとに異なる暗号鍵で暗号化されていることを特徴とするコンテンツ提供装置を提供する（第７の構成）。
また、本発明は、部分ごとに異なる暗号鍵で暗号化したコンテンツを取得するコンテンツ取得手段と、前記部分を復号化する復号化手段と、前記復号化したコンテンツを再生するコンテンツ再生手段と、を具備したことを特徴とするコンテンツ再生装置を提供する（第８の構成）。
また、本発明は、部分ごとに異なる暗号鍵で暗号化したコンテンツから、前記暗号鍵を生成するのに用いる元情報を取得するためのライセンス情報を提供するライセンス情報提供装置を提供する（第９の構成）。
また、本発明は、コンテンツ取得手段と、暗号化手段と、出力手段と、を備えたコンピュータにおいて、前記コンテンツ取得手段によって、コンテンツを取得するコンテンツ取得ステップと、前記暗号化手段によって、前記取得したコンテンツを部分ごとに異なる暗号鍵で暗号化する暗号化ステップと、前記出力手段によって、前記暗号化したコンテンツを出力する出力ステップと、から構成されたことを特徴とする暗号化方法を提供する（第１０の構成）。
また、本発明は、受付手段と、コンテンツ提供手段と、を備えたコンピュータにおいて、前記受付手段によって、コンテンツの提供要求を受け付ける受付ステップと、前記コンテンツ提供手段によって、前記要求を受け付けたコンテンツを提供するコンテンツ提供ステップと、から構成され、前記コンテンツは、部分ごとに異なる暗号鍵で暗号化されていることを特徴とするコンテンツ提供方法を提供する（第１１の構成）。
また、本発明は、コンテンツ取得手段と、復号化手段と、コンテンツ再生手段と、を備えたコンピュータにおいて、前記コンテンツ取得手段によって、部分ごとに異なる暗号鍵で暗号化したコンテンツを取得するコンテンツ取得ステップと、前記復号化手段によって、前記部分を復号化する復号化ステップと、前記コンテンツ再生手段によって、前記復号化したコンテンツを再生するコンテンツ再生ステップと、から構成されたことを特徴とするコンテンツ再生方法を提供する（第１２の構成）。
また、本発明は、ライセンス情報提供手段を備えたコンピュータにおいて、前記ライセンス情報提供手段によって、部分ごとに異なる暗号鍵で暗号化したコンテンツから、前記暗号鍵を生成するのに用いる元情報を取得するためのライセンス情報を提供するライセンス情報ステップを含むことを特徴とするライセンス情報提供方法を提供する（第１３の構成）。
更に、本発明は、コンテンツを取得するコンテンツ取得機能と、前記取得したコンテンツを部分ごとに異なる暗号鍵で暗号化する暗号化機能と、前記暗号化したコンテンツを出力する出力機能と、をコンピュータで実現する情報処理プログラムを提供する（第１４の構成）。
また、本発明は、部分ごとに異なる暗号鍵で暗号化されているコンテンツの提供要求を受け付ける受付機能と、前記要求を受け付けたコンテンツを提供するコンテンツ提供機能と、をコンピュータで実現する情報処理プログラムを提供する（第１５の構成）。
また、本発明は、部分ごとに異なる暗号鍵で暗号化したコンテンツを取得するコンテンツ取得機能と、前記部分を復号化する復号化機能と、前記復号化したコンテンツを再生するコンテンツ再生機能と、をコンピュータで実現する情報処理プログラムを提供する（第１６の構成）。
また、本発明は、部分ごとに異なる暗号鍵で暗号化したコンテンツから、前記暗号鍵を生成するのに用いる元情報を取得するためのライセンス情報を提供するライセンス情報提供機能をコンピュータで実現する情報処理プログラムを提供する（第１７の構成）。
更に、本発明は、第１４の構成から第１７の構成までのうちの何れか１の構成の情報処理プログラムを記憶したコンピュータが読み取り可能な記憶媒体を提供する。